(57)【特許請求の範囲】
【請求項１】
前部に出し入れ口を有する収納庫本体と、収納庫本体の前部の上下部に長手方向を左右方向に向けるようにして設けられた上下一対のガイドレールと、これらガイドレールに案内されて左右動する引き戸とを有し、前記ガイドレールが、前方に向かって開放した車輪案内溝を有する本体と、本体下部の前縁に設けられた立上り片とを有し、前記引き戸の後面上部には軸心を前後方向に向けた少なくとも２つの車輪が回転自在に設けられ、引き戸の後面下部には軸心を前後方向に向けた少なくとも１つの車輪が回転自在に設けられ、上部の車輪が上部のガイドレールの車輪案内溝にその前方から嵌められると共に下部の車輪が下部のガイドレールの車輪案内溝にその前方から嵌められており、上下部のガイドレールの少なくとも一方の車輪案内溝の上部に、車輪が浮き上がって立上り片を乗り越えて車輪案内溝から外れるのを防止する少なくとも２本の長尺スペーサーが引き戸を一番右側に移動させた状態及び引き戸を一番左側に移動させた状態で引き戸に隠蔽されていない車輪案内溝の前方から取り付けられ、
前記長尺スペーサーの後部に可撓性の垂直片が連設され、この垂直片の上下部が車輪案内溝の後部の上下部に設けられた垂直片嵌合溝に嵌められている収納庫。
【請求項２】
前記ガイドレールは、前記本体の後部に形成された貫通孔を通じてねじを前記収納庫本体にねじ嵌めることによって該収納庫本体に取り付けられている請求項１記載の収納庫。
【発明の詳細な説明】
【０００１】
【発明の属する技術分野】
本発明は、収納庫（建物に造り付けのものも含む）に関する。
【０００２】
【発明の目的】
本発明は、引き戸を前側から簡単にガイドレールに支持させることが出来るにも拘らず、引き戸が簡単にガイドレールから外れないようになされた収納庫を提供することを目的とするものである。
【０００３】
【課題を解決するための手段】
本発明は前記目的を達成するために以下の如き手段を採用した。
請求項１の発明は、前部に出し入れ口を有する収納庫本体と、収納庫本体の前部の上下部に長手方向を左右方向に向けるようにして設けられた上下一対のガイドレールと、これらガイドレールに案内されて左右動する引き戸とを有し、前記ガイドレールが、前方に向かって開放した車輪案内溝を有する本体と、本体下部の前縁に設けられた立上り片とを有し、前記引き戸の後面上部には軸心を前後方向に向けた少なくとも２つの車輪が回転自在に設けられ、引き戸の後面下部には軸心を前後方向に向けた少なくとも１つの車輪が回転自在に設けられ、上部の車輪が上部のガイドレールの車輪案内溝にその前方から嵌められると共に下部の車輪が下部のガイドレールの車輪案内溝にその前方から嵌められており、上下部のガイドレールの少なくとも一方の車輪案内溝の上部に、車輪が浮き上がって立上り片を乗り越えて車輪案内溝から外れるのを防止する少なくとも２本の長尺スペーサーが引き戸を一番右側に移動させた状態及び引き戸を一番左側に移動させた状態で引き戸に隠蔽されていない車輪案内溝の前方から取り付けられ、前記長尺スペーサーの後部に可撓性の垂直片が連設され、この垂直片の上下部が車輪案内溝の後部の上下部に設けられた垂直片嵌合溝に嵌められているものである。
請求項２の発明は、前記ガイドレールは、前記本体の後部に形成された貫通孔を通じてねじを前記収納庫本体にねじ嵌めることによって該収納庫本体に取り付けられている請求項１記載のものである。
【０００４】
【発明の効果】
本発明は前記した如き構成によって以下の如き効果を奏する。
（１）請求項１の発明によれば、引き戸の後面上部に設けた少なくとも２つの車輪を上部のガイドレールの車輪案内溝に前方から嵌めると共に引き戸の後面下部に設けた少なくとも１つの車輪を下部のガイドレールの車輪案内溝に前方から嵌めることによって、引き戸を前側から簡単にガイドレールに支持させることが出来るにも拘らず、上下部のガイドレールの少なくとも一方の車輪案内溝の上部に設けた少なくとも２本の長尺スペーサーによって、車輪が浮き上がって立上り片を乗り越えて車輪案内溝から外れるのを防止し、引き戸が簡単にガイドレールから外れないようにすることが出来る。さらに、長尺スペーサーの後部に連設された可撓性の垂直片の上下部を車輪案内溝の後部の上下部に設けられた垂直片嵌合溝に嵌めることにより、長尺スペーサーの取り付けをねじ等を使用することなく簡単に行なうことが出来る。
（２）請求項２の発明によれば、ガイドレールがその後部に形成された貫通孔を通じてねじを収納庫本体にねじ嵌めることによって収納庫本体に取り付けられ、そのねじを垂直片によって覆い隠すことが出来る。
【０００５】
【発明の実施の形態】
以下に本発明の実施の形態を説明する。
なお、この説明において、前とは図１紙面表側を、後とは同裏側をいい、左とは図１左側を、右とは同図右側をいう。
【０００６】
収納庫１は、前部に出し入れ口を有する収納庫本体２と、収納庫本体２の前部の上下部に長手方向を左右方向に向けるようにして設けられた上下一対のガイドレール３と、これらガイドレール３に案内されて左右動する引き戸４とを有している。
【０００７】
前記上下部のガイドレール３は、長さが「Ｌ」の、アルミニウム等の金属製押出型材からなるもので、前方に向かって開放した車輪案内溝７を有する本体８と、本体８の下部の前縁に設けられた立上り片９とを有している。
ガイドレール３は、本体８の後部に左右方向に所定間隔で形成された貫通孔１１を通じてねじ１２を収納庫本体２にねじ嵌めることによって、収納庫本体２に取り付けられている。
前記ガイドレール３の左右端部はキャップ１４によって閉塞されている。前記キャップ１４は、図３に示すごとく、左右厚みが「Ｍ」の本体１５と、本体１５に連設された、左右長さが「Ｎ」であり、ガイドレール３内に嵌入する嵌入部１６とを有している。嵌入部１６は、ガイドレール３の下部に形成された貫通孔（図示略）を通じてねじ（図示略）を嵌入部１６にねじ嵌めることによりガイドレール３に固定されている。
収納庫１の左右長さは、「Ｌ＋２Ｍ」となされている。
【０００８】
引き戸４は、枠１９と、枠１９に嵌め止められたガラス板２０とを有している。
引き戸４の後面上部には軸心を前後方向に向けた少なくとも２つ、この実施の形態では２つの車輪２２が回転自在に設けられ、引き戸４の後面下部には軸心を前後方向に向けた少なくとも１つ、この実施の形態では２つの車輪２２が回転自在に設けられている。
そして、上部の車輪２２が上部のガイドレール３の車輪案内溝７にその前方から嵌められると共に下部の車輪２２が下部のガイドレール３の車輪案内溝７にその前方から嵌められている。その状態で、立上り片９によって車輪２２が車輪案内溝７から脱落しないようになされると共に、立上り片９とこれに車輪２２の前後幅に相当する間隔をあけて対向する車輪案内溝７の底部の凸部とによって車輪２２が前後方向にガタ付かないようになされている。
【０００９】
上下部のガイドレール３の車輪案内溝７の上部に、車輪２２が浮き上がって立上り片９を乗り越えて車輪案内溝７から外れるのを防止する少なくとも２本、この実施の形態では２本の長尺スペーサー２４が、引き戸４を一番右又は一番左に移動させた状態で引き戸４に隠蔽されていない車輪案内溝７の前方から以下に詳述するようにして取り付けられている。
引き戸４を一番右側に移動させた状態で右側の車輪２２がキャップ１４の嵌入部１６に当たり、その状態で引き戸４の左側の側面は、図１に示すごとく、収納庫１の左右方向中心Ｃに重なるか又は左右方向中心Ｃより右に位置するようになされている。また、引き戸４を一番左側に移動させた状態で左側の車輪２２がキャップ１４の嵌入部１６に当たり、その状態で引き戸４の右側の側面は、収納庫１の左右方向中心Ｃに重なるか又は左右方向中心Ｃより左に位置するようになされている。
【００１０】
前記長尺スペーサー２４の後部に可撓性（弾性も含む）を有する垂直片２５が連設され、この垂直片２５の上下部が車輪案内溝７の後部の上下部に設けられた垂直片嵌合溝２６に嵌められるようになされている。
【００１１】
図１の状態において、長さが「（Ｌ−２Ｎ）／２」の左側の長尺スペーサー２４の垂直片２５の下部を左側のガイドレール３の下部の垂直片嵌合溝２６に嵌めた後、垂直片２５を撓ませつつ垂直片２５の上部を上部の垂直片嵌合溝２６に嵌める。その後、引き戸４を一番左に移動させた状態で、長さが「（Ｌ−２Ｎ）／２」の右側の長尺スペーサー２４の垂直片２５の下部を右側のガイドレール３の下部の垂直片嵌合溝２６に嵌めた後、垂直片２５を撓ませつつ垂直片２５の上部を上部の垂直片嵌合溝２６に嵌める。
【００１２】
収納庫本体２の左半分には、上下２段の引き出し２８が前後摺動自在に設けられている。これら引き出し２８は、収納庫本体２に完全に押し込められた状態では、引き戸４と衝突しないように引き戸４の移動軌跡内に突出しないようになされている。
【００１３】
【変形例等】
以下に変形例等について説明を加える。
（１）上下部のガイドレール３の少なくとも一方の車輪案内溝７に長尺スペーサー２４を設ければ、引き戸４はガイドレール３より外れない。
（２）垂直片２５をなくして、長尺スペーサー２４を車輪案内溝７の上面に接着剤等で固定してもよい。
（３）車輪案内溝７は車輪２２の案内作用を有するものであば、断面形状は任意である。
【図面の簡単な説明】
【図１】本発明の実施の形態を示す一部破砕の正面図である。
【図２】図１のＩＩ−ＩＩ線に沿う中間省略の拡大断面図である。
【図３】図１のＡ部分の一部破砕の拡大平面図である。
【符号の説明】
１  収納庫
２  収納庫本体
３  ガイドレール
４  引き戸
７  車輪案内溝
８  本体
９  立上り片
２２  車輪
２４  長尺スペーサー
【図１】
0004476388.tif 000002
【図２】
0004476388.tif 000003
【図３】
0004476388.tif 000004